(57)【要約】【課題】回転軸に転がり軸受を圧入する際の内外輪間の軌道面への異物の侵入を抑制する構成が、大型化することなく所定の締め付け力を確保することができる軸受装置を提供する。【解決手段】回転軸８１と、回転軸８１の外周に嵌合して使用する転がり軸受１と、を備え、転がり軸受１は、回転軸８１に嵌合する内輪２と、内輪２の外径側に配置される外輪３と、内外輪間の軌道面２ａ，３ａを転動する玉４と、を有し、内輪２の内周面２ｂには、軸線Ｃ１に対して平行な溝２１が形成され、溝２１は、軸線Ｃ１方向の両端を貫通するとともに周方向に複数形成され、転がり軸受１を回転軸８１に圧入する際に、回転軸８１の外周に付着した油が溝２１に集められる。【選択図】図１
2015072051.tif 000002
【特許請求の範囲】
【請求項１】
回転軸と、
この回転軸の外周に嵌合して使用する転がり軸受と、を備え、
前記転がり軸受は、
前記回転軸に嵌合する内輪と、
この内輪の外径側に配置される外輪と、
内外輪間の軌道面を転動する転動体と、を有し、
前記内輪の内周面には、軸線に対して平行な溝が形成され、
この溝は、軸線方向の両端を貫通するとともに周方向に複数形成され、
前記転がり軸受を前記回転軸に圧入する際に、前記回転軸の外周に付着した油が前記溝に集められることを特徴とする軸受装置。
【請求項２】
回転軸と、
この回転軸の外周に嵌合して使用する転がり軸受と、を備え、
前記転がり軸受は、
前記回転軸に嵌合する内輪と、
この内輪の外径側に配置される外輪と、
内外輪間の軌道面を転動する転動体と、を有し、
前記内輪の内周面には、軸線方向に螺旋状の溝が形成され、
この溝は、軸線方向の両端を貫通するとともに周方向に複数形成され、
前記転がり軸受を前記回転軸に圧入する際に、前記回転軸の外周に付着した油が前記溝に集められることを特徴とする軸受装置。
【請求項３】
回転軸と、
この回転軸の外周に嵌合して使用する転がり軸受と、を備え、
前記転がり軸受は、
前記回転軸に嵌合する内輪と、
この内輪の外径側に配置される外輪と、
内外輪間の軌道面を転動する転動体と、を有し、
前記回転軸の外周面には、軸線に対して平行な溝が形成され、
前記転がり軸受を前記回転軸に軸線方向の一方から所定位置まで圧入して嵌合するとしたときに、前記溝は、軸線方向の一方の端から前記所定位置より先まで形成されるとともに周方向に複数形成され、
前記転がり軸受を前記回転軸に圧入する際に、前記回転軸の外周に付着した油が前記溝に集められることを特徴とする軸受装置。
【請求項４】
回転軸と、
この回転軸の外周に嵌合して使用する転がり軸受と、を備え、
前記転がり軸受は、
前記回転軸に嵌合する内輪と、
この内輪の外径側に配置される外輪と、
内外輪間の軌道面を転動する転動体と、を有し、
前記回転軸の外周面には、軸線方向に螺旋状の溝が形成され、
前記転がり軸受を前記回転軸に軸線方向の一方から所定位置まで圧入して嵌合するとしたときに、前記溝は、軸線方向の一方の端から前記所定位置より先まで形成されるとともに周方向に複数形成され、
前記転がり軸受を前記回転軸に圧入する際に、前記回転軸の外周に付着した油が前記溝に集められることを特徴とする軸受装置。
【発明の詳細な説明】
【技術分野】
【０００１】
本発明は、回転軸とこの回転軸に外嵌する転がり軸受とからなる軸受装置に関する。
【背景技術】
【０００２】
例えば、２４時間換気する住宅用の換気扇は、省電力や低騒音や長寿命などが求められている。この換気扇の回転支持部に用いられる転がり軸受は、低トルク、静粛性及び長寿命が要求され、軸受の軌道面に異物が侵入するのを防止するために、内外輪間にシールを装着している。
【０００３】
しかしながら、換気扇を構成する回転軸に転がり軸受を圧入する際、回転軸の外周に付着した防錆油や、この防錆油に付着した塵埃などの異物が、内輪の端面の内周縁部でかき集められ、シールの接触部から軌道面に侵入する場合がある。
【０００４】
そこで、例えば特許文献１に開示された転がり軸受は、内輪の内周縁部に内径より大径に形成される一対の周溝と、これら周溝を連通し内輪の内周面に螺旋状に形成される螺旋溝とを備える。この転がり軸受は、鉄鋼圧延機ロールネック用の軸受として使用され、ロールネック軸に嵌着される内輪内周面を潤滑するために、螺旋溝にグリースを溜め、周溝から螺旋溝にグリースを補充する構成となっている。この転がり軸受の構成を前記換気扇の転がり軸受に適用したときには、転がり軸受を回転軸に圧入する際、内輪の端面の内周縁部でかき集められた異物が周溝及び螺旋溝に溜められ、シールの接触部から軌道面への侵入を抑制することができる。
【先行技術文献】
【特許文献】
【０００５】
【特許文献１】特開２００５−７６７４６号公報
【発明の概要】
【発明が解決しようとする課題】
【０００６】
しかしながら、特許文献１に開示された転がり軸受の構成では、例えば小形が要求される換気扇に使用される場合、軸受外径が２２ｍｍ、軸受幅が７ｍｍとしたときに、回転軸に嵌合する内輪の内周には両端に周溝が形成されているため、内輪の嵌合部は３ｍｍ程度となってしまう。その結果、内輪の締め付け力が不足し、内輪がクリープする場合がある。所定の締め付け力を確保するには、軸受幅を大きくすることとなり、転がり軸受が大型化することとなる。そこで、回転軸とこの回転軸に外嵌する転がり軸受とからなる軸受装置は、回転軸に転がり軸受を圧入する際の内外輪間の軌道面への異物の侵入を抑制する構成が、大型化することなく所定の締め付け力を確保することが課題となっていた。
【０００７】
本発明は、このような課題を解決するためになされたものであって、回転軸に転がり軸受を圧入する際の内外輪間の軌道面への異物の侵入を抑制する構成が、大型化することなく所定の締め付け力を確保することができる軸受装置を提供することを目的とする。
【課題を解決するための手段】
【０００８】
上記の課題を解決するため、請求項１に係る軸受装置の構成上の特徴は、回転軸と、この回転軸の外周に嵌合して使用する転がり軸受と、を備え、前記転がり軸受は、前記回転軸に嵌合する内輪と、この内輪の外径側に配置される外輪と、内外輪間の軌道面を転動する転動体と、を有し、前記内輪の内周面には、軸線に対して平行な溝が形成され、この溝は、軸線方向の両端を貫通するとともに周方向に複数形成され、前記転がり軸受を前記回転軸に圧入する際に、前記回転軸の外周に付着した油が前記溝に集められることである。
【０００９】
請求項１の軸受装置は、転がり軸受の内輪の内周面において両端を貫通し軸線に対して平行な溝が形成されるので、転がり軸受を回転軸に圧入する際に、回転軸の外周に付着した油や油に付着した塵埃などの異物が溝に集められる。その結果、回転軸の外周に付着した異物が減少し、内外輪間の軌道面への異物の侵入を抑制できる。そして、この軸受装置の構成は、内輪の両端間の内周面が回転軸に嵌合するので、内輪が所定の締め付け力を確保でき、大型化することはない。
【００１０】
請求項２に係る軸受装置の構成上の特徴は、回転軸と、この回転軸の外周に嵌合して使用する転がり軸受と、を備え、前記転がり軸受は、前記回転軸に嵌合する内輪と、この内輪の外径側に配置される外輪と、内外輪間の軌道面を転動する転動体と、を有し、前記内輪の内周面には、軸線方向に螺旋状の溝が形成され、この溝は、軸線方向の両端を貫通するとともに周方向に複数形成され、前記転がり軸受を前記回転軸に圧入する際に、前記回転軸の外周に付着した油が前記溝に集められることである。
【００１１】
請求項２の軸受装置は、転がり軸受の内輪の内周面において両端を貫通し螺旋状の溝が形成されるので、転がり軸受を回転軸に圧入する際に、回転軸の外周に付着した油や油に付着した塵埃などの異物が溝に集められる。その結果、回転軸の外周に付着した異物が減少し、内外輪間の軌道面への異物の侵入を抑制できる。また、この軸受装置は、溝が螺旋状からなるので、溝体積が大きくより多くの異物を集めることができ、溝からあふれる異物が減少し、内外輪間の軌道面への異物の侵入をさらに抑制できる。そして、この軸受装置の構成は、内輪の両端間の内周面が回転軸に嵌合するので、内輪が所定の締め付け力を確保でき、大型化することはない。
【００１２】
請求項３に係る軸受装置の構成上の特徴は、回転軸と、この回転軸の外周に嵌合して使用する転がり軸受と、を備え、前記転がり軸受は、前記回転軸に嵌合する内輪と、この内輪の外径側に配置される外輪と、内外輪間の軌道面を転動する転動体と、を有し、前記回転軸の外周面には、軸線に対して平行な溝が形成され、前記転がり軸受を前記回転軸に軸線方向の一方から所定位置まで圧入して嵌合するとしたときに、前記溝は、軸線方向の一方の端から前記所定位置より先まで形成されるとともに周方向に複数形成され、前記転がり軸受を前記回転軸に圧入する際に、前記回転軸の外周に付着した油が前記溝に集められることである。
【００１３】
請求項３の軸受装置は、回転軸の外周面において転がり軸受を圧入開始する軸線方向の一方の端から圧入終了する所定位置より先まで軸線に対して平行な溝が形成されるので、転がり軸受を回転軸に圧入する際に、回転軸の外周に付着した油や油に付着した塵埃などの異物が溝に集められる。その結果、回転軸の外周に付着した異物が減少し、内外輪間の軌道面への異物の侵入を抑制できる。そして、この軸受装置の構成は、内輪の両端間の内周面が回転軸に嵌合するので、内輪が所定の締め付け力を確保でき、大型化することはない。
【００１４】
請求項４に係る軸受装置の構成上の特徴は、回転軸と、この回転軸の外周に嵌合して使用する転がり軸受と、を備え、前記転がり軸受は、前記回転軸に嵌合する内輪と、この内輪の外径側に配置される外輪と、内外輪間の軌道面を転動する転動体と、を有し、前記回転軸の外周面には、軸線方向に螺旋状の溝が形成され、前記転がり軸受を前記回転軸に軸線方向の一方から所定位置まで圧入して嵌合するとしたときに、前記溝は、軸線方向の一方の端から前記所定位置より先まで形成されるとともに周方向に複数形成され、前記転がり軸受を前記回転軸に圧入する際に、前記回転軸の外周に付着した油が前記溝に集められることである。
【００１５】
請求項４の軸受装置は、回転軸の外周面において転がり軸受を圧入開始する軸線方向の一方の端から圧入終了する所定位置より先まで螺旋状の溝が形成されるので、転がり軸受を回転軸に圧入する際に、回転軸の外周に付着した油や油に付着した塵埃などの異物が溝に集められる。その結果、回転軸の外周に付着した異物が減少し、内外輪間の軌道面への異物の侵入を抑制できる。また、この軸受装置は、溝が螺旋状からなるので、溝体積が大きくより多くの異物を集めることができ、溝からあふれる異物が減少し、内外輪間の軌道面への異物の侵入をさらに抑制できる。そして、この軸受装置の構成は、内輪の両端間の内周面が回転軸に嵌合するので、内輪が所定の締め付け力を確保でき、大型化することはない。
【発明の効果】
【００１６】
本発明によれば、回転軸に転がり軸受を圧入する際の内外輪間の軌道面への異物の侵入を抑制する構成が、大型化することなく所定の締め付け力を確保することができる軸受装置を提供できる。
【図面の簡単な説明】
【００１７】
【図１】第１実施形態：本発明の軸受装置の軸線方向の断面図である。
【図２】第１実施形態：図１に示す軸受装置を軸線方向から見た図である。
【図３】第１実施形態：図１に示す転がり軸受を回転軸に圧入するとき及び圧入終了以降における状態を説明する断面図である。
【図４】第２実施形態：本発明の軸受装置を軸線方向から見た図である。
【図５】第２実施形態：図４に示す内輪の軸線方向の断面図である。
【図６】第３実施形態：本発明の軸受装置を換気扇のハウジングに収容した状態を示す断面図である。
【図７】第４実施形態：本発明の軸受装置を換気扇のハウジングに収容した状態を示す断面図である。
【発明を実施するための形態】
【００１８】
以下、本発明の軸受装置を具体化した実施形態について図面を参照しつつ説明する。
【００１９】
＜第１実施形態＞
図１は、本発明の軸受装置１０の軸線方向の断面図である。図２は、図１に示す軸受装置１０を軸線方向から見た図である。
図１及び図２に示すように、軸受装置１０は、例えば２４時間換気する住宅用の換気扇（図示せず）の回転軸８１と、回転軸８１を支持する転がり軸受１とからなる。転がり軸受１は、回転軸８１の外周にしまり嵌めで嵌合する内輪２と、内輪２の外径側に配置される外輪３と、内輪２と外輪３との間の環状空間１１に配置される複数の玉（転動体）４と、玉４を保持する保持器５と、環状空間１１の両端に装着されるシール６とを備える。
【００２０】
玉４は、内輪２の外周面に形成される軌道面２ａと、外輪３の内周面に形成される軌道面３ａとの間を転動する。内輪２及び外輪３の材料としては、例えば、高炭素クロム軸受鋼材「ＳＵＪ２」が用いられる。
【００２１】
シール６は、環状の芯金６１と、芯金６１に加硫接着され一体化された弾性体６２と、からなる。シール６は、外輪３の内周面の両端部に嵌合され、弾性体６２の先端であるリップ６３が内輪２の外周面の両端部に摺接している。
【００２２】
内輪２の内周面２ｂには、軸線Ｃ１に対して平行な溝２１が形成されている。溝２１は、軸線Ｃ１方向の両端を貫通するとともに、周方向の１２箇所に等配されている。
【００２３】
次に、図３を参照しつつ、転がり軸受１を回転軸８１に圧入するとき及び圧入終了以降の状態について説明する。図３（ａ）は、図１に示す転がり軸受１を回転軸８１に圧入開始するときの状態を示す断面図である。図３（ｂ）は、図１に示す転がり軸受１を回転軸８１に圧入終了したときの状態を示す断面図である。図３（ｃ）は、図１に示す転がり軸受１を回転軸８１に圧入した組立品である軸受装置１０を、換気扇のハウジング８２に収容した状態を示す断面図である。
【００２４】
図３（ａ）に示すように、転がり軸受１を回転軸８１に圧入する際には、回転軸８１の固定と、転がり軸受１を圧入する位置の位置決めを行なうために治具８３を使用する。治具８３は、上部中央に回転軸８１の直径に合わせた円柱状の凹部８３ａを設け、凹部８３ａの凹む深さは転がり軸受１を圧入する位置を決める所定の長さとしている。
【００２５】
まず、治具８３が、作業台（図示せず）上に凹部８３ａを上にして載置され、凹部８３ａに対して、回転軸８１を軸線Ｃ１方向に挿入する。そして、転がり軸受１を、回転軸８１の軸線Ｃ１方向の上側に位置する端８１ｅから所定位置Ｐ１まで、挿入方向Ｄ１にて圧入していく。
【００２６】
その後に、図３（ｂ）に示すように、転がり軸受１の圧入は、転がり軸受１の軸線Ｃ１方向の一方側の端面が治具８３の上面である突き当て部８３ｂに突き当たることにより、所定位置Ｐ１まで圧入されたとして圧入を終了する。
【００２７】
その後に、図３（ｃ）に示すように、転がり軸受１を回転軸８１に圧入した軸受装置１０が、治具８３から分離し、換気扇のハウジング８２に収容される。ハウジング８２は、その内周面から円筒状で延びる小径部８２ａと小径部８２ａから段差部８２ｂを介してさらに延びる大径部８２ｃとを備える。軸受装置１０は、転がり軸受１の軸線Ｃ１方向の一方側である外輪３の端面が段差部８２ｂに当接し、外輪３が大径部８２ｃの内周にすきま嵌めで嵌合されてハウジング８２に収容される。
【００２８】
このように構成される軸受装置１０では、図３（ａ），３（ｂ）に示すように、転がり軸受１を圧入する際、回転軸８１の外周に付着した防錆油や、この防錆油に付着した塵埃などの異物９が、溝２１に集められる。溝２１に集められた異物９は、その量が少量である場合には溝２１に溜まり、その量が多量である場合には溝２１を通過し転がり軸受１の軸線Ｃ１方向の他方側に排出される。その結果、回転軸８１の外周に付着した異物９が減少し、軸受装置１０は、転がり軸受１を回転軸８１に圧入する際に、内外輪間の軌道面２ａ，３ａに異物９が侵入するのを抑制できる。
【００２９】
また、軸受装置１０は、内輪２の両端間の内周面２ｂが回転軸８１に嵌合するので、内輪２が所定の締め付け力を確保でき、大型化することはない。
【００３０】
なお、本発明は本実施形態に限定するものではなく、本発明の要旨を逸脱しない範囲内において、種々の形態で実施することができる。
本実施形態では、溝２１が周方向の１２箇所に形成されるとしたが、それに限るものではなく、例えば周方向の１６箇所でもよく、軸受装置の環境などにより適宜決定すればよい。
【００３１】
＜第２実施形態＞
第２実施形態は、第１実施形態における軸受装置１０において、内輪２の内周面２ｂに形成される溝が螺旋状からなる構成の実施形態である。第２実施形態において、第１実施形態と同一の構成の説明は、簡略化のため省略する。
【００３２】
図４は、本発明の軸受装置１０を軸線方向から見た図である。図５は、図４に示す内輪２の軸線方向の断面図である。
内輪２の内周面２ｂには、溝２１ａが軸線Ｃ１方向の両端を螺旋状に貫通して形成されている。溝２１ａは、周方向の４箇所に等配されている。
【００３３】
このように構成される軸受装置１０では、転がり軸受１を圧入する際、回転軸８１の外周に付着した防錆油や、この防錆油に付着した塵埃などの異物９が、溝２１ａに集められる。溝２１ａに集められた異物９は、その量が少量である場合には溝２１ａに溜まり、その量が多量である場合には溝２１ａを通過し転がり軸受１の軸線Ｃ１方向の他方側に排出される。その結果、回転軸８１の外周に付着した異物９が減少し、軸受装置１０は、転がり軸受１を回転軸８１に圧入する際に、内外輪間の軌道面２ａ，３ａに異物９が侵入するのを抑制できる。
【００３４】
また、軸受装置１０は、溝２１ａが螺旋状からなるので、溝２１ａの体積が大きくより多くの異物９を集めて溜めることができ、溝２１ａからあふれて排出される異物９が減少し、内外輪間の軌道面２ａ，３ａへの異物９の侵入をさらに抑制できる。
【００３５】
また、軸受装置１０は、内輪２の両端間の内周面２ｂが回転軸８１に嵌合するので、内輪２が所定の締め付け力を確保でき、大型化することはない。
【００３６】
なお、本発明は本実施形態に限定するものではなく、本発明の要旨を逸脱しない範囲内において、種々の形態で実施することができる。
本実施形態では、溝２１ａが周方向の４箇所に形成されるとしたが、それに限るものではなく、例えば周方向の６箇所でもよく、軸受装置の環境などにより適宜決定すればよい。
【００３７】
＜第３実施形態＞
第３実施形態は、第１実施形態における軸受装置１０において、転がり軸受１の内輪２の内周面２ｂには溝２１を備えず、回転軸８１の外周面８１ａに溝８１ｂを備える構成の実施形態である。第３実施形態において、第１実施形態と同一の構成の説明は、簡略化のため省略する。
【００３８】
図６は、本発明の軸受装置１０を換気扇のハウジング８２に収容した状態を示す断面図である。
図６に示すように、回転軸８１の外周面８１ａには、軸線Ｃ１に対して平行な溝８１ｂが形成されている。溝８１ｂは、軸線Ｃ１方向の両端を貫通するとともに、周方向の１０箇所に等配されている。
【００３９】
このように構成される軸受装置１０では、転がり軸受１を圧入する際、回転軸８１の外周面８１ａに付着した防錆油や、この防錆油に付着した塵埃などの異物９が、溝８１ｂに集められる。溝８１ｂに集められた異物９は、溝８１ｂに溜まる。その結果、回転軸８１の外周面８１ａに付着した異物９が減少し、軸受装置１０は、転がり軸受１を回転軸８１に圧入する際に、内外輪間の軌道面２ａ，３ａに異物９が侵入するのを抑制できる。
【００４０】
また、軸受装置１０は、内輪２の両端間の内周面２ｂが回転軸８１に嵌合するので、内輪２が所定の締め付け力を確保でき、大型化することはない。
【００４１】
なお、本発明は本実施形態に限定するものではなく、本発明の要旨を逸脱しない範囲内において、種々の形態で実施することができる。
本実施形態では、溝８１ｂが周方向の１０箇所に形成されるとしたが、それに限るものではなく、例えば周方向の６箇所でもよく、軸受装置の環境などにより適宜決定すればよい。
【００４２】
また、本実施形態では、溝８１ｂが軸線Ｃ１方向の両端を貫通するとしたが、それに限るものではなく、例えば転がり軸受１を圧入開始する軸線Ｃ１方向の一方の端８１ｅから圧入終了する所定位置Ｐ１より先の２点鎖線で示す位置Ｐ２まで溝が形成される構成であればよい。
【００４３】
＜第４実施形態＞
第４実施形態は、第１実施形態における軸受装置１０において、転がり軸受１の内輪２の内周面２ｂには溝２１を備えず、回転軸８１の外周面８１ａに溝８１ｃを備える構成の実施形態である。第４実施形態において、第１実施形態と同一の構成の説明は、簡略化のため省略する。
【００４４】
図７は、本発明の軸受装置１０を換気扇のハウジング８２に収容した状態を示す断面図である。
図７に示すように、回転軸８１の外周面８１ａには、溝８１ｃが軸線Ｃ１方向の両端を螺旋状に貫通して形成されている。溝８１ｃは、周方向の３箇所に等配されている。
【００４５】
このように構成される軸受装置１０では、転がり軸受１を圧入する際、回転軸８１の外周面８１ａに付着した防錆油や、この防錆油に付着した塵埃などの異物９が、溝８１ｃに集められる。溝８１ｃに集められた異物９は、溝８１ｃに溜まる。その結果、回転軸８１の外周面８１ａに付着した異物９が減少し、軸受装置１０は、転がり軸受１を回転軸８１に圧入する際に、内外輪間の軌道面２ａ，３ａに異物９が侵入するのを抑制できる。
【００４６】
また、軸受装置１０は、溝８１ｃが螺旋状からなるので、溝８１ｃの体積が大きくより多くの異物９を集めて溜めることができ、溝８１ｃからあふれて排出される異物９が減少し、内外輪間の軌道面２ａ，３ａへの異物９の侵入をさらに抑制できる。
【００４７】
また、軸受装置１０は、内輪２の両端間の内周面２ｂが回転軸８１に嵌合するので、内輪２が所定の締め付け力を確保でき、大型化することはない。
【００４８】
なお、本発明は本実施形態に限定するものではなく、本発明の要旨を逸脱しない範囲内において、種々の形態で実施することができる。
本実施形態では、溝８１ｃが周方向の３箇所に形成されるとしたが、それに限るものではなく、例えば周方向の６箇所でもよく、軸受装置の環境などにより適宜決定すればよい。
【００４９】
また、本実施形態では、溝８１ｃが軸線Ｃ１方向の両端を貫通するとしたが、それに限るものではなく、例えば転がり軸受１を圧入開始する軸線Ｃ１方向の一方の端８１ｅから圧入終了する所定位置Ｐ１より先の２点鎖線で示す位置Ｐ２まで溝が形成される構成であればよい。
【００５０】
また、第１実施形態、第２実施形態、第３実施形態及び第４実施形態では、転がり軸受１が玉軸受としたが、それに限るものではなく、例えば円筒ころ軸受や円すいころ軸受などの構成に適用してもよい。
【符号の説明】
【００５１】
１：転がり軸受、  ２：内輪、  ２ａ：軌道面、  ２ｂ：内輪の内周面、  ３：外輪、  ３ａ：軌道面、  ４：玉（転動体）、  ５：保持器、  ６：シール、  ９：異物、  １０：軸受装置、  １１：環状空間、  ２１，２１ａ：溝、  ６１：芯金、  ６２：弾性体、  ６３：リップ、  ８１：回転軸、  ８１ａ：回転軸の外周面、  ８１ｂ，８１ｃ：溝、  ８１ｅ：回転軸の一方の端、  ８２：ハウジング、  ８２ａ：小径部、  ８２ｂ：段差部、  ８２ｃ：大径部、  ８３：治具、  ８３ａ：凹部、  ８３ｂ：突き当て部、  Ｃ１：軸線、  Ｐ１：所定位置、  Ｐ２：所定位置より先の位置
【図１】
2015072051.tif 000003
【図２】
2015072051.tif 000004
【図３】
2015072051.tif 000005
【図４】
2015072051.tif 000006
【図５】
2015072051.tif 000007
【図６】
2015072051.tif 000008
【図７】
2015072051.tif 000009